(57)【要約】【課題】画像投影装置を用いたプレゼンテーション等を行う場合において、発表者の発言を聴取する参加者の発言が、発表者や他の参加者に聞き取りやすいようにする。【解決手段】スクリーン１６０に投影画像１７０を投影する画像投影装置１１０および複数の情報処理装置１３０がネットワーク１４０を介して接続された画像投影システム１００であって、画像投影装置１１０は、複数の情報処理装置１３０の識別情報と使用者情報とを関連付けて記録する記録部と、複数の情報処理装置１３０のうちから選択された情報処理装置１３０に対して、音声データの出力要求を行うとともに、選択された情報処理装置１３０から受信した音声データを音声出力部から出力させる制御部と、を備え、情報処理装置１３０は、音声を集音する集音部と、出力要求を受けた場合に、集音部を有効にするとともに、集音した音声データを画像投影装置１１０に送信する制御部と、を備える。【選択図】図１
2017011610.tif 000002
【特許請求の範囲】
【請求項１】
被投影面に投影画像を投影する画像投影装置および複数の情報処理装置がネットワークを介して接続された画像投影システムであって、
前記画像投影装置は、
前記複数の情報処理装置の識別情報と使用者情報とを関連付けて記録する記録部と、
前記複数の情報処理装置のうちから選択された情報処理装置に対して、音声データの出力要求を行うとともに、前記選択された情報処理装置から受信した音声データを音声出力部から出力させる制御部と、を備え、
前記情報処理装置は、
音声を集音する集音部と、
前記出力要求を受けた場合に、前記集音部を有効にするとともに前記集音部で集音した音声データを前記画像投影装置に送信する制御部と、を備えることを特徴とする画像投影システム。
【請求項２】
前記情報処理装置は、
前記音声データとして、該音声データを圧縮した音声圧縮データを送信し、
前記画像投影装置は、
前記音声圧縮データを伸長して、前記音声出力部から出力させることを特徴とする請求項１に記載の画像投影システム。
【請求項３】
前記画像投影装置は、
前記識別情報と前記使用者情報の一覧をユーザに選択可能に前記投影画像に重畳表示させることを特徴とする請求項１または２に記載の画像投影システム。
【請求項４】
前記識別情報は、前記情報処理装置本体、または前記情報処理装置の通信部のＭＡＣアドレスであることを特徴とする請求項１から３までのいずれかに記載の画像投影システム。
【請求項５】
前記使用者情報は、使用者の氏、名、識別ＩＤの少なくとも１つを含むことを特徴とする請求項１から４までのいずれかに記載の画像投影システム。
【請求項６】
前記画像投影装置は、
前記記録部に前記音声データを記録することを特徴とする請求項１から５までのいずれかに記載の画像投影システム。
【請求項７】
被投影面に投影画像を投影する画像投影装置および複数の情報処理装置がネットワークを介して接続された画像投影システムにおける前記画像投影装置であって、
前記複数の情報処理装置の識別情報と使用者情報とを関連付けて記録する記録部と、
前記複数の情報処理装置のうちから選択された情報処理装置に対して、音声データの出力要求を行うとともに、前記選択された情報処理装置から受信した音声データを音声出力部から出力させる制御部と、を備えることを特徴とする画像投影装置。
【発明の詳細な説明】
【技術分野】
【０００１】
本発明は、画像投影システムおよび画像投影装置に関する。
【背景技術】
【０００２】
画像投影装置として広く知られたプロジェクタは、多人数に対するプレゼンテーション、会議、講演会、教育現場や、サイネージなどに広く用いられているとともに、液晶パネルの高解像化、ランプの高効率化に伴う明るさの改善、低価格化などが進んでいる。
【０００３】
また、ＤＭＤ（Digital  Micro-mirror  Device）を利用したＤＬＰ（Digital  Light  Processing）方式の画像投影装置が普及し、オフィスや学校のみならず家庭においても広くこれら画像投影装置が利用されるようになってきている。また、スクリーンなどの被投影面までの投影距離を短くした、短焦点型の画像投影装置の開発が盛んである。
【０００４】
画像投影装置を用いたプレゼンテーションや会議などに用いる技術として、特許文献１には、プレゼンテーション等を行う発表者や、それを聴取する参加者の発言内容を記録することを目的として、音声データを収集するための集音部としてのマイクロフォンを備え、これを投影部と連動して動作させ、投影部で投影する映像データと、当該映像に対する発表者の説明や参加者のコメントである音声データとを併せて記録手段を用いて記録するプロジェクタが開示されている。
【０００５】
特許文献１の技術では、発表者と参加者の距離が離れている場合、参加者が発表内容に対し、質問や意見をする場合、参加者からの発言が通常発表者の近傍に設けられる画像投影装置の集音部まで届かず、参加者からの発言を記録することが難しいという問題がある。
【発明の概要】
【発明が解決しようとする課題】
【０００６】
画像投影装置で発言内容を記録することを目的とする場合に限られず、発表者と参加者の距離が離れている場合、通常、発表者はマイクロフォンなどの拡声器を用いて発言をすることで、参加者は発表者の発言を聞き取れるが、参加者が質問等をする場合、参加者の近傍にいる人には、質問等の内容が聞き取れても、離れた位置にいる発表者や参加者には、聞き取りにくい場合がある。また、このとき、拡声器をその都度参加者に渡して発言させるのは煩雑である。
【０００７】
また、参加者が十分な音量で発言したとしても、発言している参加者の近傍の他の参加者が会話等をしていると、参加者の発言が聞き取りにくい場合がある。
【０００８】
そこで本発明は、画像投影装置を用いたプレゼンテーション等を行う場合において、発表者の発言を聴取する参加者の発言が、発表者や他の参加者に聞き取りやすいようにすることができる画像投影システムを提供することを目的とする。
【課題を解決するための手段】
【０００９】
かかる目的を達成するため、本発明に係る画像投影システムは、被投影面に投影画像を投影する画像投影装置および複数の情報処理装置がネットワークを介して接続された画像投影システムであって、前記画像投影装置は、前記複数の情報処理装置の識別情報と使用者情報とを関連付けて記録する記録部と、前記複数の情報処理装置のうちから選択された情報処理装置に対して、音声データの出力要求を行うとともに、前記選択された情報処理装置から受信した音声データを音声出力部から出力させる制御部と、を備え、前記情報処理装置は、音声を集音する集音部と、前記出力要求を受けた場合に、前記集音部を有効にするとともに前記集音部で集音した音声データを前記画像投影装置に送信する制御部と、を備えるものである。
【発明の効果】
【００１０】
本発明によれば、画像投影装置を用いたプレゼンテーション等を行う場合において、発表者の発言を聴取する参加者の発言が、発表者や他の参加者に聞き取りやすいようにすることができる。
【図面の簡単な説明】
【００１１】
【図１】画像投影システムの一例を示す概略構成図である。
【図２】画像投影装置の構成を示すブロック図である。
【図３】情報処理装置の選択画面の一例である。
【図４】情報処理装置からの音声受信中の表示画面の一例である。
【図５】情報処理装置の構成を示すブロック図である。
【図６】情報処理装置の外観図である。
【図７】画像投影装置による音声出力処理の一例を示すフローチャートである。
【図８】情報処理装置による音声出力処理の一例を示すフローチャートである。
【発明を実施するための形態】
【００１２】
以下、本発明に係る構成を図１から図８に示す実施の形態に基づいて詳細に説明する。
【００１３】
本実施形態に係る画像投影システムは、被投影面（スクリーン１６０）に投影画像（投影画像１７０）を投影する画像投影装置（画像投影装置１１０）および複数の情報処理装置（情報処理装置１３０）がネットワーク（ネットワーク１４０）を介して接続された画像投影システム（画像投影システム１００）であって、画像投影装置は、複数の情報処理装置の識別情報と使用者情報とを関連付けて記録する記録部（ＮＶＲＡＭ１４）と、複数の情報処理装置のうちから選択された情報処理装置に対して、音声データの出力要求を行うとともに、選択された情報処理装置から受信した音声データを音声出力部（音声出力ユニット２２）から出力させる制御部（主制御部１０、映像音声処理部２１、ネットワーク制御部４０）と、を備え、情報処理装置は、音声を集音する集音部（集音部１３７）と、出力要求を受けた場合に、集音部を有効にするとともに集音部で集音した音声データを画像投影装置に送信する制御部（音声データ出力要求受信部１３８、音声圧縮データ送信部１３９）と、を備えるものである。なお、括弧内は実施形態での符号、適用例を示す。
【００１４】
（画像投影システムの構成）
図１は、画像投影システム１００の一例を示す概略構成図である。画像投影システム１００は、画像投影装置（プロジェクタ）１１０と、映像供給装置１２０と、複数台の情報処理装置１３０（以下、ＰＣとも称す）を含んで構成されている。
【００１５】
画像投影装置１１０および複数台の情報処理装置１３０は、ネットワーク１４０に接続されている。ネットワーク１４０は、例えば、有線、および／または無線のＬＡＮネットワークである。画像投影装置１１０および複数台の情報処理装置１３０は、ＬＡＮケーブル１４１、または無線ＬＡＮ１４２にてネットワーク１４０に接続されている。  
【００１６】
画像投影装置１１０と映像供給装置１２０とは、ケーブル１５０によって接続される。また、スクリーン１６０上に画像投影装置１１０から投影画像１７０が投影されている。
【００１７】
本実施形態では、会議、プレゼンテーション等における発表者が、映像供給装置１２０から提供される映像信号に基づいて、画像投影装置１１０からスクリーン１６０に投影される投影画像１７０を参照しつつ、所定内容の発表を実施し、参加者は、自身の情報処理装置１３０が配置されている位置において、発表者からの発表内容を聴取し、必要に応じて、意見、質問等を行う場合を例に説明する。
【００１８】
画像投影装置１１０は、映像供給装置１２０が提供する画像をスクリーン１６０等の被投影面に投影する画像出力装置である。また、画像投影装置１１０は、映像供給装置１２０が提供する画像と共に、ユーザが種々の操作を指定可能なメニュー画面等のＯＳＤ画面（重畳画像）を投影する。なお、ＯＳＤ画面は、映像供給装置１２０から画像が提供されない際にも投影可能である。
【００１９】
画像投影装置１１０は、映像信号を入力するインタフェースとして、Ｄ−Ｓｕｂコネクタ等のＶＧＡ（Video  Graphics  Array）入力端子やＨＤＭＩ（登録商標）（High-Definition  Multimedia  Interface）端子、Ｓ−ＶＩＤＥＯ端子、ＲＣＡ端子等のビデオ入力端子を備えており、これらの端子に接続されたケーブル１５０を介して映像供給装置１２０から映像信号を受信する。
【００２０】
また、画像投影装置１１０は、Ｂｌｕｅｔｏｏｔｈ（登録商標）やＷｉＦｉ（登録商標）等の無線通信プロトコルに準拠した無線通信により、映像供給装置１２０から映像信号を受信してもよい。
【００２１】
映像供給装置１２０は、画像投影装置１１０が投影すべき画像を提供する装置である。映像供給装置１２０は、映像信号を出力するインタフェースを備えており、映像供給装置１２０の表示画像を形成する映像信号を所定の転送レート（例えば、３０ｆｐｓ（frame  per  second）〜６０ｆｐｓ）で画像投影装置１１０に送信する。
【００２２】
映像供給装置１２０も同様に、映像信号を出力するインタフェースとしてＶＧＡ出力端子やＨＤＭＩ端子、Ｓ−ＶＩＤＥＯ端子、ＲＣＡ端子等のビデオ出力端子を備えており、これらの端子に接続されたケーブル１５０を介して画像投影装置１１０に送信することができる。
【００２３】
また、映像供給装置１２０は、無線通信により、画像投影装置１１０に映像信号を送信してもよい。
【００２４】
映像供給装置１２０としては、例えば、ノート型ＰＣ（情報処理装置）を用いることができるが、デスクトップ型ＰＣやタブレット型ＰＣ、ＰＤＡ等の映像信号を供給可能な情報処理装置を採用することができる。また、図１に示す例では、画像投影装置１１０に１の映像供給装置１２０が接続されているが、画像投影装置１１０は、２以上の映像供給装置１２０を接続することができる。なお、本実施形態では、映像供給装置１２０は、ネットワーク１４０に接続されているが、非接続であってもよい。また、映像供給装置１２０が複数の情報処理装置１３０の１つとして機能するものであってもよい。
【００２５】
情報処理装置１３０は、画像投影システム１００に複数台設けられ、ネットワーク１４０に接続されている。情報処理装置１３０は、例えば、ノート型ＰＣ、デスクトップ型ＰＣやタブレット型ＰＣ、ＰＤＡ等の情報処理装置である。
【００２６】
（画像投影装置の構成）
図２は、本実施形態に係る画像投影システム１００における画像投影装置１１０の構成を示すブロック図である。
【００２７】
映像入力端子部２０は、映像供給装置１２０に接続される端子部である。映像供給装置１２０にケーブル１５０にて接続されるＨＤＭＩ端子、ビデオ端子、ＲＧＢ端子などを備えている。
【００２８】
映像音声処理部２１は、入力された映像信号をＲＧＢのデジタル映像データに変換し、主制御部１０に転送する。また、映像入力端子部２０、主制御部１０から入力された音声データをＤ／Ａ変換してスピーカーなどの音声出力部である音声出力ユニット２２に出力する。
【００２９】
主制御部１０は、メインプロセッサであるＣＰＵ（Central  Processing  Unit）１１と、制御プログラム等を記憶したＲＯＭ（Read  Only  Memory）１２と、各処理におけるデータを一時的に格納しておくメモリデバイス（例えば、ＳＤＲＡＭ（Synchronous  Dynamic  Random  access  Memory）等）１３と、電源ＯＦＦ時にも設定情報等を記録しておくデータ保持メモリデバイスであるＮＶＲＡＭ（Non  Volatile  RAM）１４と、を備えた制御部である。
【００３０】
主制御部１０は、映像音声処理部２１より転送されるＲＧＢ映像データを表示すべく、ランプ駆動部３１および光学制御部３０を制御する。ランプ駆動部３１は、主制御部１０からの制御に基づいて、光源としてのランプ３２を制御する。
【００３１】
また、光学制御部３０は、主制御部１０からの制御に基づいて、光学ユニット３３を制御する。光学ユニット３３は、液晶ライトバルブやカラーホイール、ＤＭＤ（Digital  Micromirror  Device）などを備えるとともに、画像、映像をスクリーンに表示する為の映像光を反射するミラー（反射光学系）、拡大／縮小するレンズ（投影光学系）を備えている。光学制御部３０では、液晶ライトバルブ、カラーホイール、ＤＭＤ、反射光学系、投影光学系の駆動を制御する。
【００３２】
操作制御部２５は、複数のキーを有するキーボードと、状態を表示するＬＥＤ等を備えている。キーボードには、画像投影装置１１０の電源をＯＮ／ＯＦＦする電源キー、各種設定を行うメニューキー、↓キー、↑キー、←キー、→キー、決定キー、入力信号の切替を行うインプットキー、ＰＣ接続選択キー等が設けられている。なお、各種設定、入力切替時の映像データは、主制御部１０によるＯＳＤ処理により形成される。
【００３３】
また、遠隔操作手段としてのリモコン２６には、操作制御部２５と同じ機能を有する電源キー、メニューキー、↓キー、↑キー、←キー、→キー、決定キー、及び各映像入力端子を切り替えるキー、ＰＣ接続選択キー、数字入力の０〜９キー等が設けられ、各キーが押されると各キーに合ったコードを赤外線データで送信する。また、操作制御部２５は、リモコン２６からの信号を受信すると、主制御部１０へ通知する。
【００３４】
本実施形態では、主制御部１０の記録部であるＮＶＲＡＭ１４には、会議の参加者の使用する情報処理装置１３０の識別情報が、参加者の使用者情報と関連付けられて記憶されている。識別情報は、例えば、情報処理装置本体や、情報処理装置の通信デバイスに割り当てられているＭＡＣアドレス（Media  Access  Control  address）や、ＩＰアドレス等である。
【００３５】
また、使用者情報は、使用者の氏、名、識別ＩＤの少なくとも１つを含むものであって、例えば、参加者の氏名である。また、識別ＩＤは、参加者を識別するためのＩＤである。本実施形態では、使用者情報が参加者の氏名、識別情報がＭＡＣアドレスである例を説明する。
【００３６】
この画像投影システム１００では、参加者が意見、質問等の発言をする際に、発表者は、リモコン２６や本体のキーボードを操作して、該当する参加者の情報処理装置１３０を指定する。このとき、主制御部１０は、操作制御部２５でのキー入力に基づいて、ランプ駆動部３１、および光学制御部３０を制御し、図３に示すような、情報処理装置１３０の選択画面であるＰＣ選択画面１７１をスクリーン１６０上に表示させる。
【００３７】
ここでは、発表者が説明している発表内容の表示画面（投影画像１７０）にＰＣ選択画面１７１がオーバレイ表示されているが、ＰＣ選択画面１７１のみを投影するものであってもよい。
【００３８】
ＰＣ選択画面１７１は、ＮＶＲＡＭ１４に記憶されている使用者情報と、これに関連付けられた識別情報の一覧である。なお、終了ボタン１７２の選択によりＰＣ選択画面１７１は終了する。
【００３９】
発表者がＰＣ選択画面１７１から発言をする参加者を指定すると、主制御部１０は、ネットワーク１４０を介して指定された情報処理装置１３０に接続を確立する。具体的には、指定されたＭＡＣアドレスを有する情報処理装置１３０に接続する為に、ネットワーク制御部４０を制御する。
【００４０】
ネットワーク制御部４０は、指定されたＭＡＣアドレスへネットワーク接続を行ない、接続確認後、音声データ出力要求を出力する制御部である。なお、すでにネットワーク接続されている場合は、指定されたＭＡＣアドレスに、音声データ出力要求をする。
【００４１】
指定されたＭＡＣアドレスを有する情報処理装置１３０は、音声データ出力要求に応じて、音声データを送信する。すなわち、情報処理装置１３０では、音声データ出力要求を受けるとマイクロフォン（集音部１３７、図５）をオンにし、当該情報処理装置１３０の使用者は、自己の装置のマイクロフォンに対して、意見、質問等の発言をするものである。この発言内容が音声データとなる。音声データは、送信の際、圧縮された音声圧縮データとなる。
【００４２】
画像投影装置１１０のネットワーク制御部４０は、情報処理装置１３０から音声圧縮データを受信し、伸長する。図４は、情報処理装置１３０からの音声を受信中の表示画面の例であって、発表者が説明している発表内容の表示画面（投影画像１７０）に情報処理装置１３０から音声データ受信中である旨の音声データ受信画面１７３がオーバレイ表示されている。なお、終了ボタン１７４の選択により音声データ受信画面１７３は終了する。
【００４３】
次いで、ネットワーク制御部４０は、映像音声処理部２１へ音声データを送り、映像音声処理部２１では、音声データを音声出力ユニット２２へデータを変換して、出力する。
【００４４】
また、音声データまたは音声圧縮データは、併せて主制御部１０の記憶部や、外部の記憶装置に記憶するようにしてもよい。
【００４５】
（情報処理装置の構成）
図５に情報処理装置１３０の機能ブロック図を示す。情報処理装置１３０は、データを入力するための入力部１３１と、ディスプレイなどの表示部１３２と、データ通信を行うための通信部１３３と、装置全体の制御を司る制御部としてのＣＰＵ１３４と、ＣＰＵ１３４のワークエリアとして使用されるＲＡＭ１３５と、ＣＰＵ１３４を動作させるための各種プログラム等を記憶した記憶部１３６と、内蔵または外付けのマイクロフォンである集音部１３７と、から構成されている。
【００４６】
また、ＣＰＵ１３４は、音声データ出力要求受信部１３８および音声圧縮データ送信部１３９として機能する。
【００４７】
また、図６は、情報処理装置１３０の外観を示す模式図である。情報処理装置１３０は、例えば、ノート型ＰＣであって、ＬＡＮケーブル１４１およびルータ等を介してネットワーク１４０に接続されている。また、情報処理装置１３０に内蔵される無線ＬＡＮインタフェースにてネットワーク１４０に接続されるものであってもよい。
【００４８】
上記のように、音声データ出力要求受信部１３８は、通信部１３３を制御し、画像投影装置１１０のネットワーク制御部４０から音声データ出力要求を受けると、集音部１３７をオンとして、音声を記録可能な状態とする。
【００４９】
そして、質問等をする指定された参加者は、自己の情報処理装置１３０に対して、発言をすると、音声圧縮データ送信部１３９は、集音部１３７から参加者の発言を記録して、音声データを作成し、通信部１３３を制御して、該音声データを圧縮した音声圧縮データを画像投影装置１１０に送信する。音声圧縮方法としては、例えば、ＴＴＡ（The True Audio）等の可逆圧縮音声フォーマットを使用することができる。
【００５０】
（音声出力処理［画像投影装置側］）
図７は、本実施形態に係る画像投影システム１００における画像投影装置１１０による音声出力処理の一例を示すフローチャートである。この音声出力処理では、発表者が発言する参加者を指定し、指定された参加者が使用する情報処理装置１３０に向けて話すことで、画像投影装置１１０から音声出力されるまでの処理を実行する。
【００５１】
先ず、発表者が発言をする参加者を指定するＰＣ接続選択キー操作があるかどうかを判定する（Ｓ１０１）。なお、ＰＣ接続選択キー操作は、操作制御部２５やリモコン２６に設けられた専用キーの操作によるものであっても、メニュー画面からの項目選択によるものでも良い。
【００５２】
ＰＣ接続選択キー操作でないと判定した場合は（Ｓ１０１：Ｎｏ）、通常の表示を行い、ＰＣ接続選択キー操作があるまで待機する。
【００５３】
ＰＣ接続選択キー操作であると判定した場合は（Ｓ１０１：Ｙｅｓ）、ＮＶＲＡＭ１４より、参加者の名前（使用者情報）と、所有する情報処理装置１３０のＭＡＣアドレス（識別情報）を読み込むとともに（Ｓ１０２）、ランプ駆動部３１、および光学制御部３０を制御し、ＰＣ選択画面１７１（図３）をスクリーン１６０に表示させる（Ｓ１０３）。
【００５４】
次いで、ＰＣ選択画面１７１から発表者により情報処理装置１３０の指定があるかどうかを判定する（Ｓ１０４）。
【００５５】
発表者による情報処理装置１３０の指定がされず（Ｓ１０４：Ｎｏ）、終了ボタン１７２が選択されれば（Ｓ１０６：Ｙｅｓ）、ＰＣ選択画面１７１を終了し（Ｓ１１２）、通常の表示に戻って、次のＰＣ接続選択キー操作があるまで待つ。終了ボタン１７２が選択されない場合（Ｓ１０６：Ｎｏ）、発表者によるＰＣ指定があるまで待つ。
【００５６】
一方、発表者によるＰＣ指定があれば（Ｓ１０４：Ｙｅｓ）、主制御部１０は、ネットワーク制御部４０を制御して、指定された情報処理装置１３０のＭＡＣアドレスにネットワーク接続要求を行なう（Ｓ１０５）。
【００５７】
このとき、主制御部１０は、接続にＴ１タイマーを設けており、Ｔ１タイマーをスタートさせて（Ｓ１０５）、接続の可否、およびタイムアウトを判定する（Ｓ１０７，Ｓ１０９）。以下に述べる各タイマーの時間は予め設定された許容時間である。
【００５８】
Ｔ１時間内に接続しなければ、タイムアウトとし（Ｓ１０７：Ｎｏ，Ｓ１０９：Ｙｅｓ）、ＰＣ選択画面１７１を終了する（Ｓ１１２）
【００５９】
一方、Ｔ１時間内に接続すれば（Ｓ１０７：Ｙｅｓ）、ネットワーク制御部４０は、主制御部１０へ接続通知を行ない、主制御部１０は、接続通知を受け、ネットワーク制御部４０へ音声データ出力開始要求を行なう。ネットワーク制御部４０は、音声データ出力開始要求を受け、指定した情報処理装置１３０のＭＡＣアドレスに音声データ出力開始要求コマンドを送信する。（Ｓ１０８）。
【００６０】
このとき、主制御部１０は、要求に対する情報処理装置１３０からの音声データ出力可通知までにＴ２タイマーを設けており、Ｔ２タイマーをスタートさせて（Ｓ１０８）、タイムアウトを判定する（Ｓ１１０）。
【００６１】
Ｔ２時間内に指定した情報処理装置１３０のＭＡＣアドレスからの音声出力可通知（Ｓ１１１：Ｎｏ）がない場合、タイムアウトとし（Ｓ１１０：Ｙｅｓ）、ＰＣ選択画面１７１を終了する（Ｓ１１２）。
【００６２】
一方、Ｔ２時間内に指定した情報処理装置１３０のＭＡＣアドレスからの音声出力可通知をネットワーク制御部４０が受け、主制御部１０へ通知すると（Ｓ１１１：Ｙｅｓ）、主制御部１０はＰＣ選択画面１７１を終了し、音声データ受信中である旨の音声データ受信画面１７３（図４）の表示を行なう（Ｓ１１３）。
【００６３】
ネットワーク制御部４０は、指定したＰＣのＭＡＣアドレスから音声圧縮データを受信して（Ｓ１１４）、受信した音声圧縮データを映像音声処理部２１へ送る。
【００６４】
映像音声処理部２１では、音声圧縮データを伸長し（Ｓ１１５)、音声データを音声出力ユニット２２へデータを変換して出力する（Ｓ１１６）。
【００６５】
音声データ受信画面１７３から終了要求があるかどうかを判定しており（Ｓ１１７）、終了ボタン１７４の選択があれば（Ｓ１１７：Ｙｅｓ）、主制御部１０は、音声データ受信画面１７３の表示を終了する。そして、主制御部１０は、ネットワーク制御部４０へ音声データ受信終了を通知し、ネットワーク制御部４０は音声データ受信を終了する（Ｓ１１８）。また、指定した情報処理装置１３０のＭＡＣアドレスへ終了通知を送信する。
【００６６】
なお、情報処理装置１３０の音声圧縮データ送信部１３９では、終了通知を受信すると、音声圧縮データの出力を終了する。また、処理の終了は、情報処理装置１３０の入力部１３１からの終了操作により、終了通知を画像投影装置１１０のネットワーク制御部４０に送信して、ネットワーク制御部４０が音声データ受信を終了し、主制御部１０に終了通知をするものであっても良い。
【００６７】
（音声出力処理［情報処理装置側］）
図８は、本実施形態に係る画像投影システム１００における情報処理装置１３０による音声出力処理の一例を示すフローチャートである。
【００６８】
先ず、画像投影装置１１０からのネットワーク接続要求があるかどうかを判定する（Ｓ２０１）。
【００６９】
ネットワーク接続要求がない場合（Ｓ２０１：Ｎｏ）は、そのまま待機する。一方、ネットワーク接続要求があれば（Ｓ２０１：Ｙｅｓ）、ネットワーク接続を行なう（Ｓ２０２）
【００７０】
このとき、音声データ出力要求受信時間としてＴ３タイマーを設けており、Ｔ３タイマーをスタートさせて（Ｓ２０２)、音声データ出力要求を受信したか、およびタイムアウトかどうかの判定を行なう（Ｓ２０３，Ｓ２０５）。
【００７１】
Ｔ３時間内に音声データ出力要求が受信できない場合（Ｓ２０３：Ｎｏ，Ｓ２０５Ｙｅｓ）、タイムアウトとして、ネットワーク接続を終了する（Ｓ２１５）
【００７２】
一方、Ｔ３時間内に音声データ出力要求を受信した場合（Ｓ２０３：Ｙｅｓ）は、内蔵マイク（集音部１３７）の設定を行う（Ｓ２０４）。
【００７３】
このとき、内蔵マイク設定時間としてＴ４タイマーを設けており、Ｔ４タイマーをスタートさせて（Ｓ２０４）、マイク設定の可否、およびタイムアウトかどうかの判定を行なう（Ｓ２０６，Ｓ２０８）。
【００７４】
Ｔ４時間内に内蔵マイクの設定が完了できない場合（Ｓ２０６：Ｎｏ，Ｓ２０８：Ｙｅｓ）、タイムアウトとして、音声データ出力否の通知を画像投影装置１１０へ送信し（Ｓ２１０）、ネットワーク接続を終了する（Ｓ２１５）。内蔵マイクの設定が不可となる例としては、内蔵マイクの故障等が挙げられる。
【００７５】
一方、Ｔ４時間内に内蔵マイクの設定が完了した場合（Ｓ２０６：Ｙｅｓ）、音声データ出力可の通知を画像投影装置１１０へ送信する（Ｓ２０７）。そして、内蔵マイクによる音声の集音を開始して（Ｓ２０９）、音声データを圧縮し（Ｓ２１１）、音声圧縮データを画像投影装置１１０へ送信する（Ｓ２１２）。
【００７６】
終了通知を受信したかどうかを判定する（Ｓ２１３）。終了通知を受信するまでは、Ｓ２０９，Ｓ２１１およびＳ２１２の処理を実行する。一方、終了通知があれば（Ｓ２１３：Ｙｅｓ）、音声圧縮データ送信を終了し、内蔵マイクの設定を元に戻して（Ｓ２１４）、ネットワーク接続を終了する（Ｓ２１５）。なお、処理の終了は、情報処理装置１３０側に終了ボタン等を表示させて、該終了ボタンを選択するによるものでもよい。
【００７７】
以上説明した本実施形態に係る画像投影システム１００によれば、発表者が参加者のうちから発言者として指定する情報処理装置１３０のマイクロフォンを有効にし、発言者の情報処理装置１３０のマイクロフォンから集音した音声を画像投影装置１１０に送り、画像投影装置１１０では、この音声を内蔵されるスピーカーから出力することができる。
【００７８】
よって、画像投影装置１１０を用いた会議、プレゼンテーション等を行う場合において、発表者の発言を聴取する参加者の発言が、発表者や他の参加者に聞き取りやすいようにすることができる。したがって、発表者が発言者の発言内容を聞き直す必要等がなくなる。これにより、効率のよい画像投影システムとすることができる。
【００７９】
尚、上述の実施形態は本発明の好適な実施の例ではあるがこれに限定されるものではなく、本発明の要旨を逸脱しない範囲において種々変形実施可能である。
【００８０】
また、上記実施形態では、画像投影装置は、ＤＬＰ(Digital Light Processing)方式のプロジェクタを例に説明したが、これに限られるものではなく、ＬＣＤ（Liquid Crystal Display）方式、ＬＣＯＳ（Liquid  crystal  on  silicon）方式等であってもよい。また、光源としてアークランプを用いる例について説明したが、これに限られるものではなく、レーザ、ＬＥＤ等を用いてもよい。
【符号の説明】
【００８１】
１０  主制御部
１１  ＣＰＵ
１２  ＲＯＭ
１３  ＳＤＲＡＭ
１４  ＮＶＲＡＭ
２０  映像入力端子部
２１  映像音声処理部
２２  音声出力ユニット
２５  操作制御部
２６  リモコン
３０  光学制御部
３１  ランプ駆動部
３２  ランプ
３３  光学ユニット
４０  ネットワーク制御部
１００  画像投影システム
１１０  画像投影装置（プロジェクタ）
１２０  映像供給装置
１３０  情報処理装置
１３１  入力部
１３２  表示部
１３３  通信部
１３４  ＣＰＵ
１３５  ＲＡＭ
１３６  記憶部
１３７  集音部
１３８  音声データ出力要求受信部
１３９  音声圧縮データ送信部
１４０  ネットワーク
１４１  ＬＡＮケーブル
１４２  無線ＬＡＮ
１５０  ケーブル
１６０  スクリーン
１７０  投影画像
１７１  ＰＣ選択画面
１７２  終了ボタン
１７３  音声データ受信画面
１７４  終了ボタン
【先行技術文献】
【特許文献】
【００８２】
【特許文献１】特開２００６−１３８９７２号公報
【図２】
2017011610.tif 000003
【図３】
2017011610.tif 000004
【図４】
2017011610.tif 000005
【図５】
2017011610.tif 000006
【図６】
2017011610.tif 000007
【図７】
2017011610.tif 000008
【図８】
2017011610.tif 000009
【図１】
2017011610.tif 000010